(57)【要約】【課題】収容状態及び使用状態への切替を容易に行うことができる折畳構造及びこの折畳構造を持つコンロを提供しようとするものである。【解決手段】コンロ２は、矩形状の枠体１０と、枠体１０に対して着脱自在な焼き網２０と、板状であり火床３０（第１部品）と、板状の熱遮蔽板４０（第２部品）と、切替ユニット５０と、を備える。切替ユニット５０は、枠体１０に設けられた回動軸５５と、回動軸５５に対して回動自在に設けられる回動部材５７と、各回動部材５７に対して火床３０や熱遮蔽板４０を連結する連結機構５８と、を備える。回動部材５７には、レールとなる長孔５７Ｒが２本形成される。火床３０の長辺側の両端部や熱遮蔽板４０の短辺側の両端部には、スライド駒３１が形成される。スライド駒３１は、長孔５７Ｒに沿って移動自在となる。【選択図】図１
2019097992.tif 000002
【特許請求の範囲】
【請求項１】
枠体と、
部品と、
前記部品が前記枠体の内部空間に位置する内部位置と前記部品が前記枠体の外部に位置する外部位置との間で、切替自在にする切替ユニットと、を備え、
前記切替ユニットは、
前記枠体に設けられ互いに対向するように配された軸対と、
前記軸対をなすそれぞれの回動軸に対して回動自在に設けられる回動部材と、
前記回動部材及び前記部品を連結する連結機構と、を備え、
前記連結機構は、
前記回動部材に形成されたレールと、
前記部品に設けられ前記レールに対してスライド自在なスライド駒と、を備え、  
前記レールは前記回動軸から遠ざかるように延びることを特徴とする折畳構造。
【請求項２】
スライド駒が挿通可能な駒挿通孔は前記レールに形成され、
前記駒挿通孔は、前記回動部材の回動中心側に形成されることを特徴とする請求項１ないし３のうちずれか１項記載の折畳構造。
【請求項３】
前記部品は、前記枠体に対して第１の外部位置への遷移が可能である一方、前記枠体に対して第２の外部位置への遷移が規制され、
前記第２の外部位置は、前記枠体を基準にして前記第１の外部位置の反対側に位置し、
前記枠体の内部空間のうち前記第１の外部位置側に板部材の収容空間が形成されたことを特徴とする請求項１または２記載の折畳構造。
【請求項４】
前記枠体の内部空間のうち、前記第２の外部位置側には、別部品を収容可能な空間が形成されていることを特徴とすることを特徴とする請求項３記載の折畳構造。
【請求項５】
前記部品は第１部品と第２部品とを備え、
前記切替ユニットは、
前記第１部品を内部位置及び外部位置との間で切り替える第１切替ユニットと、
前記第２部品を内部位置及び外部位置との間で切り替える第２切替ユニットと、を備え、
前記内部位置にある前記第１部品と前記内部位置にある前記第２部品とは重なっていることを特徴とする請求項１ないし４のうちいずれか１項記載の折畳構造。
【請求項６】
前記部品は第１部品と第２部品とを備え、
前記切替ユニットは、
前記第１部品を内部位置及び外部位置との間で切り替える第１切替ユニットと、
前記第２部品を内部位置及び外部位置との間で切り替える第２切替ユニットと、を備え、
前記第１切替ユニットが備える第１軸対がなす回動軸は、前記第２切替ユニットが備える第２軸対がなす回動軸に対して交差することを特徴とする請求項１ないし４のうちいずれか１項記載の折畳構造。
【請求項７】
枠体と、
枠体に設けられ互いに対向するように配された軸対と、
前記軸対をなすそれぞれの回動軸に対して回動自在に設けられた部品と、
を備え、
前記部品が前記枠体の内部空間に位置する内部位置と前記部品が前記枠体の外部に位置する外部位置との間で、切替自在であって、
前記部品が内部位置にある場合であって、前記部品が前記回動部材の下にある場合には、前記回動部品の回動が規制され、
前記部品が内部位置にある場合であって、前記部品が前記回動部材の上にある場合には、前記回動部品の回動が許容されることを特徴とする折畳構造。
【請求項８】
請求項１ないし７のうちいずれか１項の折畳構造を備え、
前記部品は火床であることを特徴とするコンロ。
【発明の詳細な説明】
【技術分野】
【０００１】
本発明は、折畳構造及びコンロに関する。
【背景技術】
【０００２】
バーベキュー等で屋外での調理に利用される折り畳みコンロが知られている。従来のコンロは、燃焼室に配された火床に固形燃料（炭等）を置き、その上に載置された調理具（焼き網、鉄板や容器等）を用いて食材を加熱していた（例えば、特許文献１〜２）。
【先行技術文献】
【特許文献】
【０００３】
【特許文献１】実用新案登録第３０１４３８１号公報
【特許文献２】特開平１１−１４６８３６号公報
【発明の概要】
【発明が解決しようとする課題】
【０００４】
しかしながら、収容状態から使用状態への切り替えや、使用状態から収容状態への切り替えのために、組立をしなければならず、使い勝手の悪かった。
【０００５】
本発明は、斯かる実情に鑑み、収容状態及び使用状態への切替を容易に行うことができる折畳構造及びこの折畳構造を持つコンロを提供しようとするものである。
【課題を解決するための手段】
【０００６】
本発明の折畳構造は、枠体と、部品と、前記部品が前記枠体の内部空間に位置する内部位置と前記部品が前記枠体の外部に位置する外部位置との間で、切替自在にする切替ユニットと、を備え、前記切替ユニットは、前記枠体に設けられ互いに対向するように配された軸対と、前記軸対をなすそれぞれの回動軸に対して回動自在に設けられる回動部材と、前記回動部材及び前記部品を連結する連結機構と、を備え、前記連結機構は、前記回動部材に形成されたレールと、前記部品に設けられ前記レールに対してスライド自在なスライド駒と、を備え、前記レールは前記回動軸から遠ざかるように延びることを特徴とする。
【０００７】
本発明の折畳構造は、枠体と、枠体に設けられ互いに対向するように配された軸対と、前記軸対をなすそれぞれの回動軸に対して回動自在に設けられた部品と、備え、前記部品が前記枠体の内部空間に位置する内部位置と前記部品が前記枠体の外部に位置する外部位置との間で、切替自在であって、前記部品が内部位置にある場合であって、前記部品が前記回動部材の下にある場合には、前記回動部品の回動が規制され、前記部品が内部位置にある場合であって、前記部品が前記回動部材の上にある場合には、前記回動部品の回動が許容されることを特徴とする。
【０００８】
本発明のコンロは、上記の折畳構造を備え、前記部品は火床であることを特徴とする。
【発明の効果】
【０００９】
本発明によれば、収容状態及び使用状態への切替を容易に行うことができる折畳構造及びこの折畳構造を持つコンロを提供を提供することができる。
【図面の簡単な説明】
【００１０】
【図１】コンロの概要を示す斜視図である。
【図２】枠体の表面が上方を向く収容状態のコンロの斜視図である。
【図３】枠体の裏面が上方を向く収容状態のコンロの斜視図である。
【図４】コンロのＸ−Ｚ平面における断面図である。
【図５】コンロのＹ−Ｚ平面における断面図である。
【発明を実施するための形態】
【００１１】
図１〜２に示すように、コンロ２は、矩形状の枠体１０と、枠体１０に対して着脱自在な焼き網２０と、板状であり火床３０（第１部品）と、板状の熱遮蔽板４０（第２部品）と、切替ユニット５０と、を備える。以下、説明の便宜上、枠体１０の長辺の方向をＸ方向、枠体１０の短辺の方向をＹ方向、そして、枠体１０の厚み方向をＺ方向とする。
【００１２】
焼き網２０、火床３０及び熱遮蔽板４０は、それぞれ、矩形状に形成され、長辺の方向がＸ方向で短辺の方向がＹ方向である。また、火床３０は、所定の位置に孔が形成される。  
【００１３】
切替ユニット５０は、火床３０や熱遮蔽板４０が枠体１０の外部に位置する外部位置（図１）と、火床３０や熱遮蔽板４０が枠体１０の内部空間１０Ｘに位置する内部位置（図２〜３）との間で、切替自在にするものである。以降、前者をコンロ２の使用状態、後者を収容状態と称する。
【００１４】
切替ユニット５０は、枠体１０に設けられ互いに対向するように配された第１軸対５１と、枠体１０に設けられ互いに対向するように配された第２軸対５２と、各軸対５１〜５２をなすそれぞれの回動軸５５に対して回動自在に設けられる回動部材５７と、各回動部材５７に対して火床３０や熱遮蔽板４０を連結する連結機構５８と、を備える。
【００１５】
第１軸対５１を成す２本の回動軸５５は、Ｘ方向に延びるものであり、枠体１０のうち向かい合う長辺部分にそれぞれ設けられる。第２軸対５２を成す２本の回動軸５５は、Ｙ方向に延びるものであり、枠体１０のうち向かい合う短辺部分にそれぞれ設けられる。なお、第１軸対５１を成す回動軸５５は、第２軸対５２を成す回動軸５５に対して交差することが好ましく、直交することがより好ましい。回動軸５５は、枠体１０の内部空間において、枠体１０の内周面に沿って配される。
【００１６】
第１軸対５１を成す２本の回動軸５５同士の間隔は、焼き網２０の短辺方向（Ｙ方向）の長さよりも長い方が好ましい。第２軸対５２を成す２本の回動軸５５同士の間隔は、焼き網２０の長辺方向（Ｘ方向）の長さよりも長い方が好ましい。回動軸５５は、枠体１０の表面１０Ｆ（図１〜２）や裏面１０Ｂ（図３）よりも内部空間側に退避していることが好ましい。これにより、回動軸５５と枠体１０の内周面とにより、火床３０等が内部位置にあるときの焼き網２０の収容部が、表面１０Ｆ（図１〜２）側及び裏面１０Ｂ（図３）側の両側に形成される。
【００１７】
図１，４〜５に示すように、回動部材５７は、板状に形成される。回動部材５７の一端側には、回動軸５５の径と略等しい曲率半径をもつ湾曲部５７Ａを有する。湾曲部５７Ａを回動軸５５に係合することにより、回動部材５７は、回動軸５５に対して回動自在となる。また、回動部材５７には、レールとなる長孔５７Ｒが２本形成される。長孔５７Ｒは、自身が取り付けられている回動軸５５に対して直交する方向に延びる。互いの長孔５７Ｒは、平行に形成される。長孔５７Ｒのうち回動軸５５側の部分には、長孔５７Ｒにくらべ幅が広い幅広孔５７Ｑが形成される。
【００１８】
なお、長孔５７Ｒは、回動部材５７が回動可能となっていればよい。このため、長孔５７Ｒは、回動軸５５から遠ざかるように延びていてもよい。
【００１９】
火床３０の長辺側の両端部や熱遮蔽板４０の短辺側の両端部には、スライド駒３１が形成される。スライド駒３１は、火床３０と連結する連結部３１Ｔと、連結部３１Ｔから延びて長孔５７Ｒの幅よりもやや狭いスライド部３１Ｓと、スライド部３１Ｓよりも幅広となっている幅広部３１Ｂと、を備える。幅広部３１Ｂは、幅広孔５７Ｑに対して挿抜可能となっている。幅広部３１Ｂを幅広孔５７Ｑに対して挿入すると、スライド部３１Ｓは、長孔５７Ｒよりも幅が狭いため、スライド駒３１は、長孔５７Ｒに沿ってスライド移動が可能になる。幅広部３１Ｂは長孔５７Ｒよりも幅が広いため、抜け止めとして機能する。スライド駒３１が長孔５７Ｒから脱落しないようにするため、幅広部３１Ｂの形成位置は、長孔５７Ｒのうち、回動軸５５に近い位置に形成されることが好ましい。こうして、長孔５７Ｒと、スライド駒３１とが連結機構５８として機能する。また、熱遮蔽板４０の長側の両端部には、火床３０と連結する回動部材５７の開きを規制するためのストッパ４０Ｓが設けられてもよい。
【００２０】
枠体１０、火床３０、熱遮蔽板４０や切替ユニット５０は、ステンレス等、耐久性の高い材料からなる。
【００２１】
次に、コンロ２の使用方法について説明する。
【００２２】
収容状態のコンロ２（図３）において、切替ユニット５０により、火床３０や熱遮蔽板４０は内部位置となっている。そして、収容状態の枠体１０の裏側の内部空間には、焼き網２０が収容されている。このとき、火床３０や熱遮蔽板４０は、回動部材５７の下にあるため、回動部材５７は回動しない。ここで、コンロ２の裏表を反転させると（図２）、火床３０や熱遮蔽板４０は、回動部材５７の上に位置することとなり、回動部材５７は回動可能となる。そして、火床３０や熱遮蔽板４０に設けられたスライド駒３１が、回動部材５７の長孔５７Ｒに沿って、スライド移動する。結果、切替ユニット５０により、火床３０や熱遮蔽板４０は内部位置から外部位置へ切り替えられる（図１、４、５）。枠体１０の表裏の向きによって、切替ユニット５０による切替及び切替の規制が可能となるため、収容状態及び使用状態への切替が容易となる。
【００２３】
上記実施形態では、コンロ２について説明したが本発明はこれに限られず、弁当箱や梱包材等、収容状態及び使用状態における切替が可能な筐体にも適用できる。
【００２４】
尚、本発明は、上記した実施の形態に限定されるものではなく、本発明の要旨を逸脱しない範囲内において種々変更を加え得ることは勿論である。
【符号の説明】
【００２５】
２     コンロ
１０   枠体
１０Ｂ 裏面
１０Ｆ 表面
１０Ｘ 内部空間
２０   焼き網
３０   火床
３１   スライド駒
３１Ｂ 幅広部
３１Ｓ スライド部
３１Ｔ 連結部
４０   熱遮蔽板
４０Ｓ ストッパ
５０   切替ユニット
５１   第１軸対
５２   第２軸対
５５   回動軸
５７   回動部材
５７Ａ 湾曲部
５７Ｑ 幅広孔
５７Ｒ 長孔
５８   連結機構
【図１】
2019097992.tif 000003
【図２】
2019097992.tif 000004
【図３】
2019097992.tif 000005
【図４】
2019097992.tif 000006
【図５】
2019097992.tif 000007